(57)【特許請求の範囲】
【請求項１】
筐体と、
前記筐体内に搬送されるシートが積載される載置面を有する平板形状であり、前記筐体の上方で前記載置面を下方に向ける収容位置から、搬送される前記シートの幅方向と平行であって前記筐体の後方かつ上方に位置する第１揺動軸心周りに揺動して、前記筐体に対して前記搬送方向の上流側で前記載置面を上方に向ける使用位置に変位可能な供給トレイと、
前記筐体内に設けられ、前記載置面上の前記シートを前記筐体内に搬送し、前記シートの画像を読み取る読取部と、
前記筐体内における前記第１揺動軸心の下方に設けられ、前記読取部に給電する電源と、
前記供給トレイが前記収容位置から前記使用位置に変位する場合、前記筐体と前記供給トレイとの間に形成され、前記筐体の内側と外側とを連通させる第１開口と、
前記筐体内に形成され、前記電源の上方に位置するとともに、前記第１開口の下方に位置する第２開口と、
前記第１開口と前記第２開口とを連通させる連通経路と、
前記筐体内に設けられた電源カバーとを備え、
前記筐体は、前記連通経路の外面を有し、前記電源を側方から覆う外装カバーを有し、
前記外装カバーの内面は、前記第１開口から前記第２開口に向かって下り傾斜し、
前記電源は前記第１開口の下方に位置し、
前記電源カバーは、前記第１開口の下方であって、上下方向で前記第１開口と前記電源との間に位置し、
前記電源カバーは、前記電源を上方から覆い、前記第１開口よりも後方の所定位置から、前記第１開口の前方まで下り傾斜する傾斜面と、前記傾斜面の前端から下方に延出し、前記電源を前方から覆う前面と、前記傾斜面の後端から下方に凹み、後方に延出して途中に上方に突出する凸部が形成された平坦部分とを有し、
前記第２開口は、前記平坦部分の後端と前記外装カバーとの間に形成されていることを特徴とする画像読取装置。
【請求項２】
前記供給トレイが前記収容位置にある場合、前記筐体及び前記供給トレイにおける前記第１揺動軸心側の端縁同士が離間することにより形成される第３開口と、
前記第１揺動軸心に対して平行に位置する第２揺動軸心周りに揺動可能とされ、前記第３開口を覆う開口カバーと、
前記開口カバーと、前記使用位置に変位した前記供給トレイとの間に形成され、前記第１開口と連通する第４開口とを備える請求項１記載の画像読取装置。
【請求項３】
前記第１開口は、前記第１揺動軸心と平行な方向から見た場合、前記第２開口よりも前記筐体の内側に位置している請求項１又は２記載の画像読取装置。
【請求項４】
前記外装カバーの外面は、前記第１開口から前記第２開口に向かって傾斜している請求項１乃至３のいずれか１項記載の画像読取装置。
【請求項５】
前記外装カバーは、前記第１開口と前記第２開口との中間部が前記筐体の内側に向けて屈曲している請求項１乃至４のいずれか１項記載の画像読取装置。
【請求項６】
前記外装カバーの内面には、前記筐体の内側に向けて延出するリブが形成されている請求項１乃至５のいずれか１項記載の画像読取装置。
【請求項７】
前記筐体は、前記電源の上方で前記外装カバーと対向し、前記連通経路の内面を有する内側壁部を有する請求項１乃至６のいずれか１項記載の画像読取装置。
【請求項８】
前記電源カバーの上面には、前記第２開口より内側に位置する凹部が設けられていることを特徴とする請求項１乃至７のいずれか１項記載の画像読取装置。
【発明の詳細な説明】
【技術分野】
【０００１】
本発明は画像読取装置に関するものである。
【背景技術】
【０００２】
特許文献１に画像読取装置が開示されている。この画像読取装置は、筐体と、供給トレイと、読取部とを備える。供給トレイは、筐体内に搬送されるシートが積載される載置面を有する平板形状である。また、供給トレイは、筐体の上方で載置面を下方に向ける収容位置から、搬送されるシートの幅方向と平行な揺動軸心周りに揺動して、筐体に対して搬送方向の上流側で載置面を上方に向ける使用位置に変位可能である。読取部は、筐体内に設けられ、載置面上のシートを筐体内に搬送し、シートの画像を読み取るようになっている。
【先行技術文献】
【特許文献】
【０００３】
【特許文献１】特開２０１０−６２８３９号公報
【発明の概要】
【発明が解決しようとする課題】
【０００４】
ところで、上記画像読取装置では、一般的に、筐体内にＡＣアダプタ等の電源が設けられておらず、例えば、コンセントから筐体外部に設置されたＡＣアダプタを介して給電されることが多い。そして、低コスト化のためにＡＣアダプタ等の電源を筐体内に設けようとすると、電源からの排熱が筐体内に溜まって筐体内が高温となり易い。筐体内が高温となると、読取部の動作不良が発生するおそれがある。
【０００５】
本発明は、上記実情に鑑みてなされたものであって、電源からの排熱に起因する読取部の動作不良の発生を抑制できる画像読取装置を提供することを目的とする。
【課題を解決するための手段】
【０００６】
本発明の画像読取装置は、筐体と、
前記筐体内に搬送されるシートが積載される載置面を有する平板形状であり、前記筐体の上方で前記載置面を下方に向ける収容位置から、搬送される前記シートの幅方向と平行であって前記筐体の後方かつ上方に位置する第１揺動軸心周りに揺動して、前記筐体に対して前記搬送方向の上流側で前記載置面を上方に向ける使用位置に変位可能な供給トレイと、
前記筐体内に設けられ、前記載置面上の前記シートを前記筐体内に搬送し、前記シートの画像を読み取る読取部と、
前記筐体内における前記第１揺動軸心の下方に設けられ、前記読取部に給電する電源と、
前記供給トレイが前記収容位置から前記使用位置に変位する場合、前記筐体と前記供給トレイとの間に形成され、前記筐体の内側と外側とを連通させる第１開口と、
前記筐体内に形成され、前記電源の上方に位置するとともに、前記第１開口の下方に位置する第２開口と、
前記第１開口と前記第２開口とを連通させる連通経路と、
前記筐体内に設けられた電源カバーとを備え、
前記筐体は、前記連通経路の外面を有し、前記電源を側方から覆う外装カバーを有し、
前記外装カバーの内面は、前記第１開口から前記第２開口に向かって下り傾斜し、
前記電源は前記第１開口の下方に位置し、
前記電源カバーは、前記第１開口の下方であって、上下方向で前記第１開口と前記電源との間に位置し、
前記電源カバーは、前記電源を上方から覆い、前記第１開口よりも後方の所定位置から、前記第１開口の前方まで下り傾斜する傾斜面と、前記傾斜面の前端から下方に延出し、前記電源を前方から覆う前面と、前記傾斜面の後端から下方に凹み、後方に延出して途中に上方に突出する凸部が形成された平坦部分とを有し、
前記第２開口は、前記平坦部分の後端と前記外装カバーとの間に形成されていることを特徴とする。
【０００７】
本発明の画像読取装置では、筐体内における第１揺動軸心の下方に設けられた電源からの熱を、第２開口、連通経路及び第１開口を経由して、筐体の外側に導くことができる。このため、電源からの排熱が筐体内に溜らず、筐体内が高温となり難い。
【０００８】
したがって、本発明の画像読取装置は、電源からの排熱に起因する読取部の動作不良の発生を抑制できる。
【０００９】
本発明の画像読取装置は、供給トレイが収容位置にある場合、筐体及び供給トレイにおける第１揺動軸心側の端縁同士が離間することにより形成される第３開口と、第１揺動軸心に対して平行に位置する第２揺動軸心周りに揺動可能とされ、第３開口を覆う開口カバーと、開口カバーと、使用位置に変位した供給トレイとの間に形成され、第１開口と連通する第４開口とを備えることが望ましい。
【００１０】
この構成によれば、使用時に、開口カバーと供給トレイとの間に形成される第４開口により、第１開口を通過する電源からの排熱を筐体の外部に確実に導くことができる。その一方、不使用時、開口カバーが第３開口を覆うので、筐体の内部に埃等が侵入し難い。
【００１１】
本発明の画像読取装置において、筐体は、連通経路の外面を有し、電源を側方から覆う外装カバーを有する。この構成によれば、外装カバーが電源の覆いと、連通経路の外面とを兼ねるので、装置の簡素化を実現できる。
【００１２】
本発明の画像読取装置において、第１開口は、第１揺動軸心と平行な方向から見た場合、第２開口よりも筐体の内側に位置していることが望ましい。この構成によれば、第１開口から筐体内に水が侵入する場合でも、第１開口が第２開口よりも筐体の内側に位置することにより、その水が第２開口から離れた位置に垂れ易くなるので、水が電源に到達し難い。その結果、電源のショートの発生を抑制できる。
【００１３】
本発明の画像読取装置において、外装カバーの外面は、第１開口から第２開口に向かって傾斜していることが望ましい。この構成によれば、外装カバーの外面に水がかかった場合でも、外装カバーの外面の傾斜により、その水が下方に垂れて、外装カバーの外面に溜まり難い。
【００１４】
本発明の画像読取装置において、外装カバーの内面は、第１開口から第２開口に向かって傾斜している。また、外装カバーは、第１開口と第２開口との中間部が筐体の内側に向けて屈曲していることが望ましい。この構成によれば、第１開口から筐体内に水が侵入する場合でも、外装カバーの内面の傾斜と、外装カバーの屈曲とにより、その水が第２開口から一層離れた位置に垂れ易くなるので、水が電源に一層到達し難い。
【００１５】
本発明の画像読取装置において、外装カバーの内面には、筐体の内側に向けて延出するリブが形成されていることが望ましい。この構成によれば、第１開口から筐体内に水が侵入する場合でも、外装カバーの内面のリブにより、その水が第２開口から一層離れた位置に垂れ易くなるので、水が電源に一層到達し難い。
【００１６】
本発明の画像読取装置において、筐体は、電源の上方で外装カバーと対向し、連通経路の内面を有する内側壁部を備えることが望ましい。この構成によれば、第１開口と第２開口とを連通させる連通経路を容易に形成できる。
【００１７】
本発明の画像読取装置は、筐体内に設けられ、電源を少なくとも上方から覆う電源カバーを備える。また、第２開口は、電源カバーと外装カバーとの間に形成された隙間であることが望ましい。この構成によれば、第１開口から筐体内に水が侵入する場合でも、その水が電源カバーに垂れるので、水が電源に一層到達し難い。
【００１８】
本発明の画像読取装置において、電源カバーの上面は、第２開口が位置する側とは反対側に向かって下り傾斜していることが望ましい。この構成によれば、第１開口から筐体内に水が侵入する場合でも、その水が電源カバーの傾斜により、第２開口から離れるように移動するので、水が電源により一層到達し難い。
【００１９】
本発明の画像読取装置は、凸部又は凹部が、第２開口より内側に位置するように、電源カバーの上面に設けられていることが望ましい。この構成によれば、凸部又は凹部により、電源カバーの上面に垂れた水が第２開口の手前で堰き止められるので、水が電源により一層到達し難い。
【図面の簡単な説明】
【００２０】
【図１】本発明の一実施例の画像読取装置１の主に前方を示す斜視図である。
【図２】上記実施例の供給トレイ５０が収容位置にある状態において、画像読取装置１の主に後方を示す斜視図である。
【図３】上記実施例の供給トレイ５０が使用位置にある状態において、画像読取装置１の主に後方を示す斜視図である。
【図４】上記実施例の上部カバー３００が開かれた状態において、画像読取装置１の主に前方を示す斜視図である。
【図５】上記画像読取装置１の側面図である。
【図６】上記画像読取装置１の電源ユニット３周辺の構成を拡大して示す要部拡大断面図である。
【図７】上記供給トレイ５０が収容位置にある状態において、画像読取装置１の電源ユニット３周辺の構成を拡大して示す要部拡大断面図である。
【図８】上記供給トレイ５０が使用位置にある状態において、画像読取装置１の電源ユニット３周辺の構成を拡大して示す要部拡大断面図である。
【図９】上記画像読取装置１に係り、背面部カバー１００を取り外した状態を示す斜視図である。
【発明を実施するための形態】
【００２１】
以下、本発明を具体化した一実施例を、図面を参照しつつ説明する。
【００２２】
（実施例）
図１に示すように、本実施例の画像読取装置１は、本発明の画像読取装置の具体的態様の一例である。図１では、排出トレイ６側を装置の前側と規定し、排出トレイ６に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２３】
＜全体構成＞
画像読取装置１は、図１〜図５に示すように、筐体８と、供給トレイ５０と、排出トレイ６とを備える。また、画像読取装置１は、図５及び図６に示すように、電源ユニット３と、読取部７とを備える。電源ユニット３は、本発明の「電源」の一例である。
【００２４】
筐体８は、図１〜図３に示す上部カバー３００、背面部カバー１００及び左右の側面部カバー４００Ｌ、４００Ｒと、図４に示す内部フレーム８Ｆ等とが組み合わされてなる箱状体である。背面部カバー１００は、本発明の「電源を側方から覆う外装カバー」の一例である。図１〜図３及び図５に示すように、通常、上部カバー３００は、後方に向かって上り傾斜している。その一方、図４に示すように、シート詰まりやメンテナンスの際には、上部カバー３００は、後端縁側が上方に持ち上がるように揺動する。これにより、筐体８を構成する内部フレーム８Ｆの上壁８Ｃや、供給ローラ７Ａ等が露出する。
【００２５】
供給トレイ５０は、一方の面が載置面５１とされた平板形状であり、その左右の角部に一対のヒンジ部５０Ｌ、５０Ｒが一体に形成されている。供給トレイ５０は、両ヒンジ部５０Ｌ、５０Ｒを介して、筐体８の後方かつ上方に位置して左右方向に延びる第１揺動軸心Ｘ１周りに揺動可能に筐体８に支持されている。
【００２６】
図１、図２、図６及び図７に示すように、供給トレイ５０が閉じられた状態において、供給トレイ５０は、載置面５１を下方に向けて、筐体８に対して上方から覆いかぶさっている。図１、図２、図６及び図７に示す供給トレイ５０の位置は、本発明の「収容位置」の一例である。
【００２７】
そして、供給トレイ５０が開かれると、供給トレイ５０は、図１等に示す状態から第１揺動軸心Ｘ１周りに揺動する。この揺動により、供給トレイ５０は、図３〜図５及び図８に示すように、筐体８の後ろ側で載置面５１を上方に向ける位置に変位する。図３〜図５及び図８に示す供給トレイ５０の位置は、本発明の「使用位置」の一例である。
【００２８】
図４、図５及び図８に示すように、内部フレーム８Ｆの上壁８Ｃのうち、筐体８の背面側から供給ローラ７Ａまで下り傾斜で延びる平板部６０の上面は、案内面６１とされている。供給トレイ５０が使用位置にある場合、案内面６１は、載置面５１とともに平坦な面を構成する。この際、図８に示すように、平板部６０における第１揺動軸心Ｘ１側の端縁６０Ｅと、供給トレイ５０における第１揺動軸心Ｘ１側の端縁５０Ｅとが互いに接近する。図５に示すように、載置面５１にシート９が載置されると、シート９の先端縁は、案内面６１まで差し込まれて、供給ローラ７Ａに当接する。
【００２９】
図５及び図６に示すように、電源ユニット３は、筐体８内における第１揺動軸心Ｘ１の下方に設けられている。電源ユニット３は、家庭用コンセントの交流電圧を直流電圧に変換して、読取部７に給電するＡＣアダプタである。図２及び図９などに示すように、筐体８の背面には、接続穴８Ｅが設けられている。接続穴８Ｅには、家庭用コンセントと電源ユニット３とを電気的に接続する電源ケーブル９９の一端側が嵌入される。
【００３０】
電源ユニット３は、背面部カバー１００により後方から覆われている。また、電源ユニット３は、筐体８内において内部フレーム８Ｆの下方に設けられた電源カバー８０により、少なくとも上方から覆われている。
【００３１】
読取部７は、説明を簡略するが、図５に示すように、筐体８内において、内部フレーム８Ｆ等に組み付けられている。読取部７は、供給ローラ７Ａ、分離パッド７Ｂ、画像読取センサ７Ｃ及び図示しない排出ローラ等を備える。読取部７は、載置面５１に載置されたシート９を前方に向けて下り傾斜で延びる搬送経路Ｐ１に沿って搬送する。読取部７は、その搬送経路Ｐ１の途中において、画像読取センサ７Ｃにより、シート９の画像を読み取るようになっている。画像読取センサ７Ｃとしては、例えば、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等が採用される。読取部７が搬送経路Ｐ１を挟んで対向する一対の画像読取センサを有する場合は、シート９の両面の画像読取が可能である。
【００３２】
排出トレイ６は、図１及び図５に示すように、筐体８に対して引き出し及び収容可能に設けられている。図１に示すように、排出トレイ６が筐体８に収容されている状態において、排出トレイ６の前端面のみが外部に露出した状態となっている。排出トレイ６が引き出されると、図５に示すように、排出トレイ６は、筐体８の前方で排出面６Ａを、上方に向けた状態となる。
【００３３】
読取部７により画像を読み取られたシート９がさらに搬送経路Ｐ１に沿って搬送されると、そのシート９は、排出面６Ａに排出される。載置面５１に複数枚のシート９が載置された場合には、１枚ずつシート９が搬送経路Ｐ１に沿って搬送されて、画像を読み取られた後、排出面６Ａに順番に積み重なるように排出される。
【００３４】
なお、図２、図６及び図７に示すように、供給トレイ５０が使用位置から収容位置に変位すると、平板部６０における第１揺動軸心Ｘ１側の端縁６０Ｅと、供給トレイ５０における第１揺動軸心Ｘ１側の端縁５０Ｅとが上下方向に離間してなる第３開口３０が形成される。
【００３５】
また、画像読取装置１は、図２及び図３に示すように、開口カバー２００を備える。開口カバー２００は、第１揺動軸心Ｘ１に対して平行、かつ第１揺動軸心Ｘ１に対して下方に位置する第２揺動軸心Ｘ２周りに揺動可能に筐体８の内部フレームに支持されている。
【００３６】
図２、図６及び図７に示すように、開口カバー２００は、供給トレイ５０が収容位置にある場合に第３開口３０を覆う。開口カバー２００は、供給トレイ５０が使用位置まで揺動するのに連動して第２揺動軸心Ｘ２周りに揺動し、図３、図５及び図８に示すように、供給トレイ５０の下方に退避するようになっている。
【００３７】
本実施例では、図４等に示すように、搬送方向Ｄ１に沿って搬送されるシート９の幅方向とは、左右方向である。第１揺動軸心Ｘ１及び第２揺動軸心Ｘ２は、シート９の幅方向である左右方向と平行である。ただし、「平行」とは「おおよそ平行」を意味する。「直交」等の用語も同様である。
【００３８】
また、画像読取装置１は、図４に示すように、左右一対の幅規制ガイド５５Ｌ、５５Ｒを備える。両幅規制ガイド５５Ｌ、５５Ｒは、載置面５１上から案内面６１上まで、搬送方向Ｄ１と平行にリブ状に延びている。幅規制ガイド５５Ｌ、５５Ｒの搬送方向Ｄ１の中間部には、連結部５６Ｌ、５６Ｒが設けられている。連結部５６Ｌ、５６Ｒは、図７及び図８に示すように、供給トレイ５０が収容位置又は使用位置に変位する場合、幅規制ガイド５５Ｌ、５５Ｒが第１揺動軸心Ｘ１周りに折れ曲がり、又は展開することを許容する。
【００３９】
左右の幅規制ガイド５５Ｌ、５５Ｒがセンター基準で幅方向に互いに接近又は離反して、載置面５１に載置されるシート９の幅方向の位置決めすることにより、この画像読取装置１は、例えば、名刺サイズからＡ４サイズまでの複数サイズのシートに形成された画像を読み取ることができる。
【００４０】
＜電源ユニットの熱を筐体の外側に導く構成＞
実施例の画像読取装置１では、電源ユニット３の周囲が内部フレーム８Ｆ、背面部カバー１００、左右の側面部カバー４００Ｌ、４００Ｒ及び電源カバー８０等に覆われている。このため、画像読取装置１は、以下に詳述する構成を備えることにより、電源ユニット３の熱を筐体８の外側に導くようになっている。
【００４１】
図９に背面部カバー１００を取り外した状態を示すように、電源ユニット３は、金属製箱体であるシールドボックスに低圧電源回路基板が収容されたものである。
【００４２】
図６及び図９に示すように、電源カバー８０は、内部フレーム８Ｆの下方に位置する。電源カバー８０は、電源ユニット３を上方から覆う上面８０Ａと、供給ローラ７Ａに対して後方に位置して電源ユニット３を前方から覆う前面８２と、電源ユニット３を左右から覆う側面８３Ｌ、８３Ｒとを有する。
【００４３】
図６〜図９に示すように、電源カバー８０の上面８０Ａにおける後端縁８０Ｅより前方には、上方にリブ状に突出する凸部８８が形成されている。また、電源カバー８０の上面８０Ａにおいて、凸部８８より前方には、下方に溝状に凹む凹部８９が形成されている。凸部８８及び凹部８９は、後端縁８０Ｅと平行に上面８０Ａの幅方向の全長にわたって延びている。
【００４４】
さらに、電源カバー８０の上面８０Ａにおいて、凹部８９より前方には、後方から前方に向かって下り傾斜する傾斜面８７が形成されている。傾斜面８７の後端縁の高さは、凸部８８の高さよりも高くなっている。
【００４５】
図２に示すように、背面部カバー１００は、電源ユニット３に対して右側と左側に位置して、平板部６０の端縁６０Ｅの近傍から下方かつ後方に向けて緩やかに湾曲しつつ延びる湾曲部１００Ｌ、１００Ｒと、両湾曲部１００Ｌ、１００Ｒの間に位置する膨出部１０１とを有する。
【００４６】
図６に示すように、幅方向から見た場合、電源ユニット３は、湾曲部１００Ｌ、１００Ｒに対して後方かつ上方にはみ出している。膨出部１０１も、両湾曲部１００Ｌ、１００Ｒに対して後方かつ上方に膨出して、電源ユニット３を覆う形状となっている。
【００４７】
図６〜図８に示すように、膨出部１０１を幅方向から見た場合、膨出部１０１の外面１０１Ａ及び内面１０１Ｂは、平板部６０の端縁６０Ｅに対して、後方かつ下方に離れた位置から、さらに後方に下り傾斜で延びている。そして、膨出部１０１の外面１０１Ａ及び内面１０１Ｂは、電源ユニット３の後部上端縁３Ｅを超える位置まで後方に延びた後、屈曲して真下に向かって延びている。
【００４８】
膨出部１０１の外面１０１Ａ及び内面１０１Ｂは、下り傾斜部分における前後方向の中間部１０１Ｃが筐体８の内側、すなわち前方に向けて屈曲している。
【００４９】
膨出部１０１の内面１０１Ｂにおける中間部１０１Ｃより上方には、幅方向に延びるリブ１０９Ａ、１０９Ｂが形成されている。リブ１０９Ａ、１０９Ｂは、筐体８の内側、すなわち前方に向けて下り傾斜で延出している。
【００５０】
内部フレーム８Ｆにおける平板部６０の下面側には、内側壁部７０が一体に形成されている。内側壁部７０は、端縁６０Ｅの近傍から下方に延びて、膨出部１０１の内面１０１Ｂと対向している。内側壁部７０の下端縁と、電源カバー８０の上面８０Ａとの間には、上下方向の隙間が形成されている。また、内側壁部７０と、リブ１０９Ａ、１０９Ｂとの間には、前後方向の隙間が形成されている。
【００５１】
図８に示すように、供給トレイ５０が収容位置から使用位置に変位した場合、膨出部１０１の上端縁１０１Ｔと供給トレイ５０とが離間してなる第１開口１０が形成される。第１開口１０は、筐体８の内側と外側とを連通させる。
【００５２】
また、図８などに示すように、電源カバー８０の上面８０Ａの後端縁８０Ｅと、膨出部１０１の内面１０１Ｂとの間に形成された隙間が第２開口２０である。第２開口２０は、筐体８内において、電源ユニット３の後部上端縁３Ｅより上方に位置するとともに、第１開口１０の下方に位置する。第１開口１０は、幅方向から見た場合、第２開口２０よりも筐体８の内側、すなわち、第２開口２０より前方に位置している。
【００５３】
膨出部１０１と、内側壁部７０との間には、第１開口１０と第２開口２０とを連通させる連通経路４０が形成されている。より詳しくは、膨出部１０１の内面１０１Ｂにおける下り傾斜部分により、連通経路４０の外面４０Ａが形成されている。また、内側壁部７０における連通経路４０の外面４０Ａと対向する面により、連通経路４０の内面４０Ｂが形成されている。
【００５４】
図８に示すように、供給トレイ５０が収容位置から使用位置に変位した場合、開口カバー２００の上端縁２００Ｔと供給トレイ５０とが離間してなる第４開口４１が形成される。第４開口４１は、上端縁２００Ｔの幅方向における少なくとも一部と、供給トレイ５０の幅方向における少なくとも一部とが離間してなる隙間である。つまり、上端縁２００Ｔと供給トレイ５０とは幅方向における全ての位置で離間している必要はない。幅方向の少なくとも一部の位置において上端縁２００Ｔと供給トレイ５０とが離間することで第４開口４１が形成されていればよい。例えば、上端縁２００Ｔの幅方向中央部が供給トレイ５０と当接し、上端縁２００Ｔの幅方向側部が供給トレイ５０と離間することで第４開口４１が形成されてもよい。また、例えば、部品交差や開口カバー２００の変形などにより、幅方向の少なくとも一部の位置において上端縁２００Ｔと供給トレイ５０とが離間することで第４開口４１が形成されてもよい。図８などは、上端縁２００Ｔと供給トレイ５０とが離間している幅方向のある位置において第４開口４１が形成されていることを示している。なお、第１開口１０なども同様であり、例えば、第１開口１０は、幅方向の少なくとも一部の位置において上端縁１０１Ｔと供給トレイ５０とが離間することで形成されていればよい。第４開口４１は、第１開口１０に対して、後方かつ上方に位置して、第１開口１０と連通する。
【００５５】
＜作用効果＞
実施例の画像読取装置１では、図８に示すように、筐体８内に設けられた電源ユニット３からの熱を、第２開口２０、連通経路４０及び第１開口１０を経由して、筐体８の外側に導くことができる。特に、この画像読取装置１によれば、使用時に、開口カバー２００と供給トレイ５０との間に形成される第４開口４１により、第１開口１０を通過する電源ユニット３からの排熱を筐体８の外部に確実に導くことができる。電源ユニット３からの熱が移動する経路を二点鎖線Ｔ１により示す。このため、電源ユニット３からの排熱が筐体８内に溜らず、筐体８内が高温となり難い。
【００５６】
したがって、実施例の画像読取装置１は、電源ユニット３からの排熱に起因する読取部７の動作不良の発生を抑制できる。
【００５７】
また、この画像読取装置１によれば、図２に示すように、不使用時、開口カバー２００が第３開口３０を覆うので、筐体８の内部に埃等が侵入し難い。
【００５８】
また、この画像読取装置１によれば、背面部カバー１００の膨出部１０１が電源ユニット３の覆いと、連通経路４０の外面４０Ａとを兼ねるので、装置の簡素化を実現できる。
【００５９】
図７に示すように、収容位置にある供給トレイ５０と、第３開口３０を覆う開口カバー２００との隙間Ｓ１、Ｓ２を介して、第１開口１０から筐体８内に水が侵入する場合が考えられる。しかし、この場合でも、この画像読取装置１によれば、第１開口１０が第２開口２０よりも筐体８の内側、すなわち、第２開口２０より前方に位置することにより、その水が第２開口２０から離れた位置に垂れ易くなる。したがって、水が電源ユニット３に到達し難い。第１開口１０から筐体８内に侵入する水を矢印Ｗ１により示す。その結果、電源ユニット３のショートの発生を抑制できる。
【００６０】
また、この画像読取装置１によれば、図７に示すように、膨出部１０１の外面１０１Ａが第１開口１０から第２開口２０に向かって傾斜している。したがって、膨出部１０１の外面１０１Ａに水がかかった場合でも、図７に示すように、その水が下方に垂れて、外面１０１Ａに溜まり難い。膨出部１０１の外面１０１Ａにかかった水を矢印Ｗ２により示す。
【００６１】
さらに、この画像読取装置１によれば、膨出部１０１の内面１０１Ｂが第１開口１０から第２開口２０に向かって傾斜している。さらに、膨出部１０１は、第１開口１０と第２開口２０との中間部１０１Ｃが筐体８の内側に向けて屈曲している。したがって、第１開口１０から筐体８内に水が侵入する場合でも、その水が第２開口２０から一層離れた位置に垂れ易くなるので、水が電源ユニット３に一層到達し難い。
【００６２】
また、この画像読取装置１によれば、膨出部１０１の内面１０１Ｂから筐体８の内側に向けて延出するリブ１０９Ａ、１０９Ｂを備える。したがって、第１開口１０から筐体８内に水が侵入する場合でも、その水が膨出部１０１の内面１０１Ｂ及び第２開口２０から一層離れた位置に垂れ易くなるので、水が電源ユニット３に一層到達し難い。
【００６３】
さらに、この画像読取装置１によれば、内側壁部７０が電源ユニット３の上方で膨出部１０１と対向し、連通経路４０の内面４０Ｂを有することにより、第１開口１０と第２開口２０とを連通させる連通経路４０を容易に形成できる。
【００６４】
また、この画像読取装置１によれば、第１開口１０から筐体８内に水が侵入する場合でも、その水が電源カバー８０に垂れるとしても、電源カバー８０の端縁８０Ｅと、膨出部１０１の内面１０１Ｂとの間に形成された隙間である第２開口２０から離れる位置に垂れるので、水が電源ユニット３に一層到達し難い。
【００６５】
さらに、この画像読取装置１によれば、電源カバー８０の上面８０Ａは、第２開口２０が位置する側とは反対側、すなわち、前方に向かって下り傾斜している。したがって、第１開口１０から筐体８内に水が侵入する場合でも、その水が第２開口２０から離れるように移動するので、水が電源ユニット３により一層到達し難い。
【００６６】
また、この画像読取装置１によれば、凸部８８及び凹部８９が第２開口２０より筐体８の内側、すなわち、第２開口２０より前方に位置するように、電源カバー８０の上面８０Ａに設けられている。したがって、電源カバー８０の上面８０Ａに水が垂れた場合でも、その水が第２開口２０の手前で凸部８８及び凹部８９により堰き止められるので、水が電源ユニット３により一層到達し難い。
【００６７】
以上において、本発明を実施例に即して説明したが、本発明は上記実施例に制限されるものではなく、その趣旨を逸脱しない範囲で適宜変更して適用できることはいうまでもない。
【００６８】
上記実施例では、開口カバー２００が筐体８に揺動可能に支持されているが、この構成に限定されない。例えば、開口カバーが供給トレイに揺動可能に支持されていてもよい。この場合、第１開口は、供給トレイが使用位置に変位するのに伴って第３開口を覆わなくなる開口カバーと、電源を側方から覆う外装カバーとの間に形成されるようにしてもよい。
【００６９】
また、上記実施例では、膨出部１０１の外面１０１Ａが第１開口１０から第２開口２０に向かって下り傾斜しているが、この構成に限定されない。例えば、膨出部１０１の外面１０１Ａは、第１開口１０から第２開口２０に向かって水平に、又は上り傾斜で、延在してもよい。
【００７０】
また、上記実施例では、膨出部１０１の中間部１０１Ｃが筐体８の内側に向けて屈曲しているが、この構成に限定されない。例えば、膨出部１０１は、第１開口１０から第２開口２０まで、屈曲せずに平坦に延びてもよい。
【００７１】
また、上記実施例では、リブ１０９Ａ、１０９Ｂが膨出部１０１の内面１０１Ｂから筐体８の内側に向けて下り傾斜で延出しているが、この構成に限定されない。例えば、リブ１０９Ａ、１０９Ｂと同様のリブが筐体８の内側に向けて上り傾斜で延出してもよい。
【００７２】
また、上記実施例では、凸部８８及び凹部８９が電源カバー８０の上面８０Ａに設けられているが、この構成に限定されない。例えば、下方に凹む凹部のみが電源カバー８０の上面８０Ａに設けられてもよい。また、上方に突出する凸部のみが電源カバー８０の上面８０Ａに設けられてもよい。
【産業上の利用可能性】
【００７３】
本発明は画像読取装置に利用可能である。
【符号の説明】
【００７４】
１…画像読取装置、８…筐体、７…読取部、３…電源（電源ユニット）
９…シート、５０…供給トレイ、５１…載置面
Ｘ１…第１揺動軸心、Ｘ２…第２揺動軸心、Ｄ１…搬送方向
１０…第１開口、２０…第２開口、３０…第３開口、４１…第４開口
４０…連通経路、４０Ａ…連通経路の外面、４０Ｂ…連通経路の内面
６０Ｅ…筐体における第１揺動軸心側の端縁
５０Ｅ…供給トレイにおける第１揺動軸心側の端縁
１００…外装カバー（背面部カバー）、２００…開口カバー、７０…内側壁部
１０１Ａ…外装カバーの外面、１０１Ｂ…外装カバーの内面
１０９Ａ、１０９Ｂ…外装カバーの内面のリブ、８０…電源カバー
８０Ａ…電源カバーの上面、８８…凸部、８９…凹部
【図１】
0005768609.tif 000002
【図２】
0005768609.tif 000003
【図３】
0005768609.tif 000004
【図４】
0005768609.tif 000005
【図５】
0005768609.tif 000006
【図６】
0005768609.tif 000007
【図７】
0005768609.tif 000008
【図８】
0005768609.tif 000009
【図９】
0005768609.tif 000010